(57)【要約】【課題】低価格で、光ディスクへ照射される光量をモニタすることができる光ピックアップに提供する。【解決手段】光ピックアップは、レーザ光源と、光ビームを光ディスクに集光させるための対物レンズと、光ディスクからの反射光ビームを検出するための光検出器と、レーザ光源から出射した光ビームを受光するフロントモニタと、レーザ光源と対物レンズの間に配置される光学部品とを有する。光学部品に、光ビームから出射した一部の光ビームの進行方向を変えてフロントモニタへ到達させるための反射部を一体に形成する。【選択図】  図１
2008065890.tif 000002
【特許請求の範囲】
【請求項１】
光ディスクに光ビームを照射し、前記光ディスクで反射した反射光ビームを検出するための光ピックアップであって、
レーザ光源と、
前記レーザ光源から出射した光ビームを光ディスクに集光させるための対物レンズと、
前記光ビームの前記光ディスクからの反射光ビームを検出するための光検出器と、
前記レーザ光源から出射した光ビームを受光するフロントモニタと、
前記レーザ光源と前記対物レンズの間に配置される光学部品とを有し、
前記光学部品に、前記レーザ光源から出射した一部の光ビームの進行方向を変えて前記フロントモニタへ到達させるための反射部が一体に形成されている光ピックアップ。
【請求項２】
請求項１に記載の光ピックアップであって、
前記反射部は、前記対物レンズの有効径外の光が照射される位置に形成されていることを特徴とする光ピックアップ。
【請求項３】
請求項１又は２に記載の光ピックアップであって、
前記光学部品の反射部の反射面が、前記レーザ光源から出射して前記光学部品に照射された光束の楕円状の強度分布の長軸上に位置するように、前記反射部が前記光学部品に配置されていることを特徴とする光ピックアップ。
【請求項４】
請求項１から請求項３のいずれか一項に記載の光ピックアップであって、
前記光学部品は、透明樹脂材料により形成された樹脂成型品、又は、硝材を使用したガラス成型品であることを特徴とする光ピックアップ。
【請求項５】
請求項１から４のいずれか一項に記載の光ピックアップであって、
前記反射部の光入射側の表面に蒸着物質が蒸着されており、前記表面で、前記光ビームから出射した一部の光ビームを反射させることを特徴とする光ピックアップ。
【請求項６】
請求項５記載の光ピックアップであって、
前記蒸着物質は、ＡｌまたはＡｇであることを特徴とする光ピックアップ。
【請求項７】
請求項１から４のいずれか一項に記載の光ピックアップであって、
前記反射部は、光ビームが入射する入射面と、該入射面から入射し、前記反射部内を通過する光ビームを反射させる内部反射面と、該内部反射面で反射した光ビームを前記フロントモニタに向けて出射する出射面とを有し、
前記内部反射面は、当該内部反射面に入射する光ビームが全反射するように形成されていることを特徴とする光ピックアップ。
【請求項８】
請求項１から７のいずれか一項に記載の光ピックアップであって、
更に、前記レーザ光源から出射した光ビームを前記対物レンズが配置されている側に反射させ、前記光ディスクで反射された反射光ビームを透過させるビームスプリッタを有し、
前記フロントモニタは、前記ビームスプリッタを経由した後の光束を検出するように構成されていることを特徴とする光ピックアップ。
【請求項９】
光ディスクに光ビームを照射し、前記光ディスクで反射した反射光ビームを検出するための光ピックアップであって、
レーザ光源と、
前記レーザ光源から出射した光ビームを光ディスクに集光させるための対物レンズと、
前記光ビームの前記光ディスクからの反射光ビームを検出するための光検出器と、
前記レーザ光源から出射した光ビームを受光するフロントモニタと、
前記レーザ光源と前記対物レンズの間に配置される光学部品とを有し、
前記光学部品には、前記レーザ光源から出射した一部の光ビームの進行方向を変えて前記フロントモニタへ到達させる第１反射部と第２反射部が一体に形成されており、前記第１反射部と第２反射部は、前記光学部品の光軸に対して互いに対称となる位置に配置されていることを特徴とする光ピックアップ
【請求項１０】
請求項９に記載の光ピックアップであって、
前記第１反射部及び第２反射部は、前記対物レンズの有効径外の光が照射される位置に配置されていることを特徴とする光ピックアップ。
【請求項１１】
請求項９又は１０に記載の光ピックアップであって、
前記光学部品の第１反射部と第２反射部の反射面が、前記レーザ光源から出射して前記光学部品に照射された光束の楕円状の強度分布の長軸上に位置するように、前記第１反射部及び第２反射部が前記光学部品に配置されていることを特徴とする光ピックアップ。
【請求項１２】
請求項９から１１のいずれか一項に記載の光ピックアップであって、
前記第２反射部は、光ビームが入射する入射面と、該入射面から入射し、前記反射部内を通過する光ビームを反射させる内部反射面と、該内部反射面で反射した光ビームを前記フロントモニタに向けて出射する出射面とを有し、
前記内部反射面は、当該内部反射面に入射する光ビームが全反射するように形成されていることを特徴とする光ピックアップ。
【請求項１３】
請求項９から１２のいずれか一項に記載の光ピックアップであって、
更に、前記レーザ光源から出射した光ビームを前記対物レンズが配置されている側に反射させ、前記光ディスクで反射された反射光ビームを透過させるビームスプリッタを有し、
前記フロントモニタは、前記ビームスプリッタを経由した後の光束を検出するように構成されていることを特徴とする光ピックアップ。
【請求項１４】
請求項１から１３のいずれか一項に記載の光ピックアップと、
前記フロントモニタから前記レーザ光源の光量モニタ信号を検出するためのフロントモニタ用回路と、
前記レーザ光源を制御するためのレーザ光源制御回路とを備えることを特徴とする光ディスク装置。
【発明の詳細な説明】
【技術分野】
【０００１】
本発明は、光ピックアップ装置及びそれを備える光ディスク装置に係り、特にレーザ光源から出射する光ビームの一部を検出する光ピックアップ装置及びそれを備える光ディスク装置に関する。
【背景技術】
【０００２】
近年、ＣＤ−Ｒ／ＲＷ、ＤＶＤ−Ｒ／ＲＷ等の情報の記録および再生が可能な光ディスクドライブが広く普及している。その光ディスクドライブは内蔵された光ピックアップにより光ディスクに光ビームを照射して情報を記録、光ディスクからの反射光ビームを検出して情報を読み取る機能を持つものである。
【０００３】
光ピックアップによる情報の記録および再生においては、安定した記録再生処理を行うために光ディスクに照射する光ビームの光量を制御する必要がある。このため、光ピックアップでは、レーザ光源から出射する光ビームの光量を検出する手段を有しており、その検出された光量をレーザ光源にフィードバックすることで、光ディスクに照射する光ビームの光量を制御している。
【０００４】
レーザ光源から出射した光ビームの光量を検出するには、レーザ光源から前方に向けて出射される光ビームの一部を受光する受光素子を設けるのが一般的である。このようにレーザ光源のチップ前方に向けて出射する光ビームを受光する受光素子のことを以下ではフロントモニタと記すことにする。
【０００５】
レーザ光源からの光ビームをフロントモニタへ導く手段は様々なものが知られている。
【０００６】
特許文献１には、対物レンズ有効径外のレーザ光をレーザ発光素子の光軸に対し異なる方向に反射する反射ミラーと、該反射ミラーの反射光軸上に配置され、反射ミラーにより反射された反射光を受光してレーザ発光素子から出射されるレーザ光の光量を検出する光量検出素子とにより構成されるレーザ光量検出手段が開示されている。
【０００７】
また、特許文献２には、光源からの出射光のカップリングレンズに入射する光束より外側の光束の光路を所定方向に曲げるホログラムを有する光学素子が開示されている。
【０００８】
【特許文献１】特開２００１−１８４７０９号公報
【特許文献２】特開２００３−７７１７０号公報
【発明の開示】
【発明が解決しようとする課題】
【０００９】
近年、ＣＤ、ＤＶＤの薄型光ピックアップなどにおいては、低価格、高速記録の信頼性向上の要求が多い。その為、光ピックアップとしては、低価格の観点から光学部品の削減、また、高速記録の信頼性向上の観点より大パワーのレーザ光源においても対物レンズ上の光量の変化を正確にモニタできる必要がある。
【００１０】
対物レンズの有効径外の光ビームを一部フロントモニタで検出する構成の光ピックアップでは、フロントモニタに光を導くプリズムまたはミラーといった光学部品が別途必要となり、低価格化が困難であるという課題がある。
【００１１】
また、高速記録に対応するため、大パワーのレーザ光源を光ピックアップに搭載する必要があるが、大パワーのレーザ光源は光出力を大きくしていくと、光軸中心が傾くことがあり、光軸中心が傾くと、例えば光ディスクへ照射される光量がほとんど変わらないのにも関わらず、フロントモニタの光量は大きく変化することになり、正確に光量をモニタできなくなるという課題がある。
【００１２】
また、回折素子を用いる構成では、光学部品点数としては削減できるものの、回折素子は所望の回折角度以外の光ビームも生成し、この光ビームが迷光となり情報信号を検出する検出器等に入射し高精度の信号再生を阻害する可能性がある。このため、大量生産する光ピックアップにおいては、単体毎に迷光対策が必要となり、歩留まりの向上の妨げとなっていた。
【００１３】
また、回折素子を用いる方法では回折現象にて方向を変える為、ミラーなどのように９０°近いような大きく光束の方向を変化させることができず、フロントモニタの配置としては自由度が少ないという課題もある。
【００１４】
本発明は、上記問題点を鑑みなされたもので、低価格で、光ディスクへ照射される光量をモニタすることができる光ピックアップに提供することを目的とする。
【課題を解決するための手段】
【００１５】
上記目的を達成するために、本発明に従えば、レーザ光源と、前記レーザ光源から出射した光ビームを光ディスクに集光させるための対物レンズと、前記光ビームの前記光ディスクからの反射光ビームを検出するための光検出器と、前記レーザ光源から出射した光ビームを受光するフロントモニタと、前記レーザ光源と前記対物レンズの間に配置される光学部品とを有し、前記光学部品に、前記光ビームから出射した一部の光ビームの進行方向を変えて前記フロントモニタへ到達させるための反射部が一体に形成されている光ピックアップが提供される。
【発明の効果】
【００１６】
本発明の光ピックアップは、低価格で、光ディスクへ照射される光量をモニタすることができる。
【発明を実施するための最良の形態】
【００１７】
以下、本発明に従う光ピックアップ装置及びそれを備える光ディスク装置について説明するが、本発明は以下の実施形態に限定されるものではない。
【実施例１】
【００１８】
実施例１ではＤＶＤの記録および再生が可能な光ディスクドライブに対応した光ピックアップについて説明する。
【００１９】
図１は光ピックアップ１００の光学系構成を示す図である。レーザ光源１から光ビームが発散光として出射される。情報の記録または情報の再生をＤＶＤ系の光ディスクに行うには、波長約６６０ｎｍの半導体レーザを用いるのが一般的であり、レーザ光源１も波長約６６０ｎｍの光ビームを出射する半導体レーザを想定している。しかし、波長は６６０ｎｍに限定されるものではなく、６６０ｎｍ付近の発振波長のレーザ光源を用いることができる。
【００２０】
また、レーザ光源１内にあるレーザチップ活性層は図中ｘとｙの成す平面と平行であることを想定している。また図中のチェックのハッチングで示された光路は光ビーム２、一点鎖線で示された光路は光ビーム３を示す。光ビーム２は、対物レンズの有効径外を通過する光ビームであり、光ビーム３は対物レンズの有効径内を通過する光ビームである。
【００２１】
まず、光ビーム２について説明する。レーザ光源１から出射した光ビーム２は回折格子４を通りミラー６で反射されレンズ８に入射する。ここでは、レンズ８はコリメートレンズである。レンズ８の有効径外には反射部５がレンズ８と一体に設けられており、この反射部５に光ビーム２が入射する。反射部５の表面（反射面）で、入射した光ビーム２が反射し、その反射面は、フロントモニタ７に向かった反射するように所定の角度に向きが設定されている。
【００２２】
光ディスクドライブでは、先述したように光ディスクに信号を記録する際、光ディスク上に所定の光量を照射させるため、レーザ光源の光量を正確に制御する必要があり、フロントモニタ７はレーザ光源１の光量変化を検出し、レーザ光源１の出射光量を制御するため設置されている。フロントモニタ７の出力信号はレーザ光源１の駆動回路（図示なし）にフィードバックされ、レーザ光源１の出射光量を制御し光ディスク上に所望の光量を照射することができる。
【００２３】
次に光ビーム３について説明する。レーザ光源１から出射した光ビーム３は回折格子４を透過し、ビームスプリッタ６で反射され、レンズ８に入射し、レンズ８により略平行な光ビームに変換される。レンズ８を出射した光ビーム３は、立ち上げミラー９を図中ｚ方向に反射しアクチュエータ１０に搭載された対物レンズ１１により光ディスク（図示せず）上に集光される。
【００２４】
光ディスクにより光ビーム３は反射し、対物レンズ１１、立ち上げミラー９、レンズ８、ビームスプリッタ６、検出レンズ１２を経て、光検出器１３に到達する。光ビーム３はビームスプリッタ６を透過するとき所定の非点収差が与えられ、非点収差法による光ディスクのフォーカシングサーボ信号（以下ＦＥＳと記す）の検出に使用される。尚、非点収差法は一般的なＦＥＳの検出法なので説明は省略する。
【００２５】
検出レンズ１２は非点収差の方向を所定の方向に回転させると同時に光検出器１３上での光スポットの大きさを決める働きがある。光検出器１３に導かれた光ビーム３は、光ディスク上に記録されている情報信号の検出と、ＴＥＳおよびＦＥＳなど光ディスク上に集光された光スポットの位置制御信号の検出に使用される。
【００２６】
図２に、レンズ８の概略構成を示す。本図を用いてレンズ８について詳細に説明する。図２の左側の図は、図１のａ点、右側の図は図１のｂ点から見たレンズ８を図視したものである。
【００２７】
レンズ８には、反射面が所定の角度に設定された反射部５が、レンズ８の有効径の外部にレンズ８と一体に形成されている。入射面はｙ軸およびｚ軸に各々所定の角度に設定されている。レンズ８は、例えば、ガラスや透明樹脂材料で構成することができる。レンズ８を透明樹脂材料で構成する場合は、例えば、モールド成型などにより簡単に製造することができる。
【００２８】
また、反射部５の表面の反射面には反射率を制御する為に、ＡｌやＡｇなどの蒸着物質が蒸着されており、これによりフロントモニタ７へ入射する光量を制御できる。
【００２９】
このように反射部５の反射面の面形状を所定の角度とし、反射面に蒸着物質を蒸着させることで、レンズ８の反射部５を反射した光ビーム２は、所定の光量でフロントモニタ７へ導かれることになる。
【００３０】
図２の右図の円１４は、対物レンズ１１の有効径内に進行する光ビーム３がレンズ８に照射する領域である。また、光ディスク中の所定の位置情報を記録または再生するときは、対物レンズ１１を光ディスクの半径方向に移動させて用いる。このため、破線で描かれた円１５、１６のようにレンズ８に照射される領域は±ｙ方向に広いものである。
【００３１】
さて、近年の光ディスクシステムでは、記録速度を増すため、レーザ光源のパワーＵＰだけでなく、光学的に光ディスクまでの効率をＵＰさせなければならない。このため、レンズ８の反射部５は対物レンズ有効径内を進行する光ビーム３の外側に配置されている。このようにレンズ８の反射部を対物レンズ有効径内の光ビーム３が通過する領域以外の領域に配置し、対物レンズ有効径外の光ビーム２を光量検出用に使用するため、光ディスクへ導かれる光効率を下げることが無いという効果がある。
【００３２】
また、レーザ光源は、通常、レーザチップの活性層に直交した方向に長手の楕円な強度分布を持つ光束を出射する。すなわち、レーザ光源からの出射光の強度分布は、右図点線のような楕円の強度分布１８になる。このため、レンズ８の反射部５の反射面が、レーザ光源から出射してレンズ８に入射される光束の楕円状の強度分布の長軸（図中の線１７）上に位置するように、反射部５をレンズ８に配置するのがよい。このように配置することで、フロントモニタ７へ到達する光量をＵＰさせ、ＳＮ（シグナルとノイズの比）の良い信号が得られる効果がある。
【００３３】
また、レンズ８は、レーザ光源１と対物レンズ１１の間の光路に配置させ、レンズ８の対物レンズ有効径外に進行する光ビーム２が照射される領域に、フロントモニタへ導く為に反射面を形成することが好ましい。これにより、レンズ８は通常のレンズであると共にフロントモニタへ光ビームを導く機能も合わせ持つことになる。フロントモニタへ光ビームを導く為の部品と他の光学部品を別々に配置させる必要が無く、反射部をレンズ８に一体に形成して、１個の部品で２種類の機能をもたせることができるので、小型化が図れ、部品点数が減ると同時に組み立て時間短縮による低コスト化も図れるという効果が得られる。
【００３４】
また、反射によりフロントモニタへ光ビームを導く構成であるため、光の回折によりフロントモニタへ光ビームを導く構成と比べて迷光対策が必要ないという効果もある。
【００３５】
また、レンズ８の反射部５の反射面を所定の角度に設定することによりフロントモニタ７の配置位置は実装自由度が増すものでもある。
【００３６】
光ディスクシステムでは、ビームスプリッタ６は、光ディスクへ照射するパワーＵＰのため反射率を高く、光検出器のＳＮを向上させるため透過率も高くと、反射率と透過率互いに高いものが要求される。このような特殊な反射透過特性をもたせるため、表面に特殊な膜を形成させている。しかし、このような特殊な膜の作製は非常に困難で反射透過特性が大きく変動してしまう。このため、例えば、従来ではビームスプリッタ６の反射率が落ちると、フロントモニタの光量は変わらないのに光ディスク上の光量が減るという矛盾があった。そこで本発明では、フロントモニタ７を、ビームスプリッタ６よりもレーザ光源１から出射した光ビーム２の進行方向に進んだ位置に配置している。これによりフロントモニタ７の検出光量はビームスプリッタ６の反射透過特性に依存しないという効果が得られるものである。
【００３７】
また、ビームスプリッタ６として本実施例ではミラーを用いているが、プリズムなどで構成しても構わない。
【実施例２】
【００３８】
実施例２ではＤＶＤの記録および再生が可能な光ディスクドライブに対応した光ピックアップについて説明する。実施例２は実施例１の光ピックアップ１００とレンズ８の構成が異なるものであり、レンズ８以外は光ピックアップ１００と変わらないため光ピックアップの詳細な説明は省略する。
【００３９】
図３は、実施例２のレンズ８の概略を図示したものである。実施例２のレンズ８は、反射面が所定の角度に設定された第２の反射部２０が更に形成されているところが実施例１と異なっている。本実施例では、反射部５を第１反射部と称する。第２反射部２０の反射面はｙ軸およびｚ軸に各々所定の角度に設定されている。なお、第２反射部２０の反射面の角度は、第１反射部５の反射面とは異なっており、第２反射部２０の反射面で反射した光ビーム２がフロントモニタに向かうように反射面の角度が設定されている。第２反射部２０の反射面の面形状を所定の角度に設定することで、レンズ８の第２反射部２０を反射した光ビームも、フロントモニタ７へ導かれることになる。
【００４０】
実施例２では、レーザ光源１より出射した光ビームは、レンズ８の第１反射部５と第２反射部２０の２つの反射面によってフロントモニタ７へ導かれるため、実施例１に比べてフロントモニタ７へ到達する光量が２倍近く増やす効果がある。
【００４１】
また、レンズ８の第２反射部２０も、第１反射部５と同様に有効径の外側に配置される。すなわち、対物レンズ有効径に進行する光ビーム３の外側に配置されている。このように第２反射部２０も対物レンズ有効径外の光ビームを使用するため、光ディスクへ導かれる光効率を下げることが無い。
【００４２】
また、レーザ光源は、通常、レーザチップの活性層に直交した方向に長手の楕円な強度分布１８を持つ光束を出射する。すなわち、レーザ光源から出射される光束の強度分布は、図３の右図点線のような楕円の強度分布１８になる。このため、レンズ８の第１反射部５と第２反射部２０の反射面の中央部分が、レーザ光源から出射してレンズ８に入射する光束の楕円状の強度分布の長軸（図中の線１７）上に位置するように、第１反射部５及び第２反射部２０をレンズ８に配置するのがよい。このように配置することで、フロントモニタ７へ到達する光量をＵＰさせ、ＳＮ（シグナルとノイズの比）の良い信号が得られる。
【００４３】
先述したように、近年、ＣＤやＤＶＤでは高速記録に対応するための大パワーのレーザ光源は光出力を大きくしていくと、光軸中心が傾くことがある。このため、対物レンズ有効径外の光ビームの一部をフロントモニタで検出する構成の光ピックアップでは、光軸中心が傾くと、光ディスクへ照射される光量がほとんど変わらないのにも関わらず、フロントモニタの光量は大きく変化することになり、正確に光量をモニタできなくなるという課題があった。これは、対物レンズにより光ディスクへ照射される光ビームは光ビームの光軸中心に強度ピークがあるため、対物レンズ有効径内で多少光軸が傾いても光ディスクへ照射されるパワーの変化は大きくはないことによる。しかし、フロントモニタへ導かれる光ビームは対物レンズ有効径外の光ビームを一部使用しているため、光軸中心が傾くと光ビームの強度分布位置の変化がそのまま光量に反映してしまうため光量が大きく変動してしまうものである。
【００４４】
このため実施例２では、レンズ８の第２反射部２０は、レーザ光源１内にあるレーザチップ活性層に平行な方向の直線（図中線２１）に対し第１反射部５とは反対側に配置されている。このように第１反射部５と第２反射部２０を配置すると、例えば光軸中心が傾き、第１反射部５よりフロントモニタ７へ到達する光量が大きく減少した場合であっても、第２反射部２０によりフロントモニタ７へ到達する光量は大きく増加するため、フロントモニタ７での検出光量はほとんど変化させないようにできる。すなわち光軸傾きによる変化が小さく抑えられるという効果がある。
【実施例３】
【００４５】
実施例３ではＤＶＤの記録および再生が可能な光ディスクドライブに対応した光ピックアップについて説明する。
【００４６】
図４は、実施例３の光ピックアップ１０１の光学構成を示す図である。
【００４７】
実施例３の光ピックアップ１０１は、実施例１の光ピックアップ１００とレンズ８の構成が異なる。実施例１と同様に、図中のチェックのハッチングで形成された光路は光ビーム２、一点鎖線で形成された光路は光ビーム３を示す。
【００４８】
本実施例の光ピックアップ１０１では、レーザ光源１から出射した光ビーム２は回折格子４を通りミラー６で反射されレンズ８に入射する。レンズ８には、入射面、反射面、出射面が所定の角度に設定された反射部３０が形成されており、反射部３０に入射した光ビーム２は、内部反射により所定の角度で反射される。反射部３０は、レンズ８の有効径外に配置されている。反射部３０を出射した光ビーム２は、フロントモニタ７に入射する。
【００４９】
図５は、実施例３のレンズ８の概略構成を図示したものである。実施例３のレンズ８は、入射面と反射面と出射面が所定の角度に設定された反射部３０が形成され、部品の内面反射を利用しているところが実施例１および２と異なっている。反射部３０の入射面、反射面、出射面はｙ軸およびｚ軸に各々所定の角度に設定されている。また、反射部３０は、レンズ８の有効径外に配置され、レンズ８と一体に形成されている。反射部３０には、対物レンズの有効径外の光ビームが入射する。
【００５０】
反射部３０の入射面、反射面、出射面の面形状を所定の角度に設定することで、レンズ８の反射部３０の内部の反射面で反射した光ビームは、内面反射によりフロントモニタ７へ導かれることになる。
【００５１】
図６は、レンズ８の反射部３０にて光ビームが内面反射により進行方向を変える様子を図視したものである。図６のＡ点より光ビームが反射部３０に入射する。入射面は光ビームに対して所定の角度θＡだけ傾けて配置させる。スネルの屈折の法則に従いθＡと異なる角度θａで反射部３０の内部を進行する。また反射面に入射する光ビームは、入射角が下記式に記載する式（１）を満たすように反射面の角度を設定することでθｂの角度で全反射する。
2008065890.tif 000003
式（１）において、Ｎ１は空気の屈折率、Ｎ２は反射部を構成する材料の屈折率である。
【００５２】
出射面は、出射面に入射する光ビームに対してθｃだけ傾けて配置させる。スネルの屈折の法則に従いθｃと異なる角度θＣで領域３０を出射する。Ａ点より反射部３０へ入射した光ビームは、反射部３０を出射するときに、元の角度とは異なる角度となる。入射面、反射面、出射面の面を（１）式を満たす適切な角度に設定することにより任意の角度の光ビームを得ることができる。このような内面反射現象を利用し、本発明は対物レンズ有効径外の光ビームをレンズの有効径外に設けた入射面、反射面、出射面にてフロントモニタへ光ビームを導いたものである。
【００５３】
実施例３では、上述したような内面反射の構成をとることにより、反射面に蒸着物質を蒸着させなくても、光ビームを全反射させることができ、これにより、安定で十分な光量をフロントモニタ７に導くことができるという効果がある。
【００５４】
また、光ピックアップ１０１のレンズ８に、図３の構成のレンズと同様に、レーザチップの活性層に垂直な方向に、反射部３０と同様の機能を持たせた反射部をもう一つ追加することもできる。
【００５５】
このとき、実施例２で説明したのと同じ効果が得られる。
【００５６】
実施例３では（１）式の条件にて全反射させる構成をとったが、もちろん反射面に蒸着物質を蒸着させて、フロントモニタへ光ビームを導く構成であってもなんらかまわない。
【００５７】
また、本実施例において、レンズ８のフロントモニタ７へ光ビームを導く反射領域にＡｇ、Ａｌの蒸着を形成させたが、もちろんＳｉＯ２、ＴｉＯ２などの蒸着物質であってもなんら構わない。
【００５８】
また、本実施例において、レンズ８の材料は、樹脂材料で形成させたが、もちろんガラス成型部品であってもなんら構わない。
【００５９】
また、本実施例において、レンズ８にフロントモニタ７へ光ビームを導く反射部を設けたが、このような構成に限定されるものではなく、レーザ光源１から対物レンズ１１の間に配置される光学部品であれば、回折格子や倍率調整用のレンズといった光学素子に同等な機能を有する反射部を設けたものであってもよい。反射部が形成される光学部品は、反射部を一体に形成することができればよく、製造しやすいという点からは、モールド成型可能な光学部品であることが好ましい。
【００６０】
また、本実施例において、レンズ８のフロントモニタ７へ光ビームを導く反射部の反射面は、平面を想定したが、もちろん曲率をもっていてもよい。また、入射面と出射面の少なくとも一方を曲面にしてもよい。
【００６１】
また、図１又は図４に示した例では、レンズ８に一体に設けた反射部で光ビームを、紙面右方向に向けて反射させるように構成しているが、反射させる方向は特に限定されず、例えば、紙面左方向に反射させるように構成してもよいし、紙面に対して垂直な方向に反射させるように構成することもできる。
【００６２】
また、上記実施例では、ビームスプリッタを板状の光学部品で構成し、レーザ光源から出射した光ビームを、対物レンズの配置されている側に反射させ、光ディスクで反射した反射光ビームを透過させて光検出器に導くように構成したが、本発明はこの構成に限定されるものではない。例えば、ビームスプリッタをプリズム形状の光学部品で構成してもよい。
【００６３】
尚、上記実施例ではＤＶＤの記録および再生が可能な光ディスクドライブに対応した光ピックアップについて説明したが、ＣＤ、ＢＤ、ＨＤ−ＤＶＤなどの記録および再生が可能な光ディスクドライブに対応した光ピックアップに用いてもなんら構わない。もちろんＣＤとＤＶＤの２波長互換光ピックアップ、ＢＤとＤＶＤとＣＤの３波長互換光ピックアップ、ＢＤとＨＤとＤＶＤとＣＤに対応した互換光ピックアップなどの複数波長の互換光ピックアップに用いても良い。
【００６４】
また、図１又は図４に示す構成において、レーザ光源からビームスプリッタまでの間の入射光学系と、ビームスプリッタから光検出器までの間の検出光学系の配置位置を交換することもできる。例えば、図１において、レーザ光源１の位置と光検出器１３の位置を交換することもできる。この場合、入射光学系と受光光学系のほかの光学部品、例えば、回折格子４と検出レンズ１２の位置も変更される。このような構成にした場合は、ビームスプリッタは、プリズムに変更され、レーザ光源から出射した光ビームは透過させ、光ディスクで反射された反射光ビームは光検出器に向けて反射させるように構成すればよい。
【００６５】
上述した実施例において、光検出器１３で得られた信号は、図７に示す光ディスク装置の信号処理部で信号処理される。再生時は、再生信号を得るとともに、サーボ信号作成部にて対物レンズがフォーカス制御、トラッキング制御される信号を作成する。それら制御信号は、ＡＦ−ＴＲ制御回路に入力され、ＡＦ（オートフォーカス）制御と、ＴＲ（トラッキング）制御が行われる。また、チルト信号作成部にてチルト駆動信号が作成され、チルト駆動回路を経由してチルトコイルにチルト電流が印加され、対物レンズを含む可動部がチルト動作を行う。
【００６６】
フロントモニタ用回路では、フロントモニタからの検出信号からレーザ光源の光量モニタ信号を検出し、これをもとにレーザ光源制御回路を駆動し光ディスク上の光量を正確に制御する。
これらのシステムコントロールが信号処理部でなされ、最良な光学特性が得られるようにコントロールされる。
【００６７】
かかる光ピックアップ装置は、光ディスク装置に装着されて使用される。光ディスク装置は、光ピックアップ装置により得た信号を信号処理して再生信号を得、モータなどの回転駆動機構によって回転している情報記録再生媒体に記録されている情報を再生する。また、光ディスク装置は、情報記録再生媒体に、光ピックアップ装置から記録光を照射して、ＣＤ、ＤＶＤ、ＢＤ、ＨＤ  ＤＶＤなどの各種の情報記録再生媒体に情報を記録することができる。
【００６８】
以上、本発明に従う光ピックアップ装置及びそれを備える光ディスク装置について説明したが、本発明はこれに限定されるものではなく、本発明の趣旨を逸脱しない範囲において種々の改良を行うことができる。
【図面の簡単な説明】
【００６９】
【図１】実施例１における光ピックアップの光学系の構成を示す図である。
【図２】実施例１における光学部品（レンズ）の概略を示す図である。
【図３】実施例２における光学部品（レンズ）の概略を示す図である。
【図４】実施例３における光ピックアップの光学系の構成を示す図である。
【図５】実施例３における光学部品（レンズ）の概略を示す図である。
【図６】実施例３における全反射の原理を示す図である。
【図７】システムコントロールの概念図である。
【符号の説明】
【００７０】
１００・・・光ピックアップ
１・・・レーザ光源
４・・・回折格子
８・・・レンズ
６・・・ビームスプリッタ
７・・・フロントモニタ
１１・・・対物レンズ
１２・・・検出レンズ
１３・・・光検出器
【図１】
2008065890.tif 000004
【図２】
2008065890.tif 000005
【図３】
2008065890.tif 000006
【図４】
2008065890.tif 000007
【図５】
2008065890.tif 000008
【図６】
2008065890.tif 000009
【図７】
2008065890.tif 000010